(57)【要約】  【課題】  コスト削減を図るとともに組み立ての作業性を向上できる加熱調理器を提供する。  【解決手段】  本体部を形成するシャーシ２の前面に配される操作部４が調理操作を行う操作パネル５と操作パネル５の前面を覆う金属製の装飾パネル６とを有し、操作パネル５に形成された貫通孔５ｂに挿通されたコイルバネ７は両端がシャーシ２及び装飾パネル６に当接して縮設される。これにより、シャーシ２と装飾パネル６とが導通して装飾パネル６がアースされる。【選択図】      図１
2005090840.tif 000002
【特許請求の範囲】
【請求項１】
本体部を形成するシャーシと、前記シャーシの前面に配されるとともに調理操作を行う操作パネルと、前記操作パネルの前面を覆う導電性の装飾パネルとを備えた加熱調理器において、前記操作パネルに貫通孔を形成し、前記貫通孔に挿通して前記シャーシと前記装飾パネルとを導通させるコイルバネを設けたことを特徴とする加熱調理器。
【請求項２】
前記コイルバネは拡径された拡径部を前面側に有するとともに、前記拡径部を配置する座グリ部を前記貫通孔に設けたことを特徴とする請求項１に記載の加熱調理器。
【請求項３】
前記コイルバネの前面側を被嵌し、前記装飾パネルに接触する平坦面を有した導電性のキャップを設けたことを特徴とする請求項１または請求項２に記載の加熱調理器。
【請求項４】
前記操作パネルは前面に配置される板状部材を有し、前記板状部材の背面側に突出するボスに前記貫通孔を形成したことを特徴とする請求項１〜請求項３のいずれかに記載の加熱調理器。
【発明の詳細な説明】
【技術分野】
【０００１】
本発明は、加熱調理を行う加熱調理器に関し、特に調理操作を行う操作パネルを前面に有する加熱調理器に関する。
【背景技術】
【０００２】
図６は従来の加熱調理器を示す斜視図である。加熱調理器１は金属製のシャーシ２によって本体部が形成され、開閉扉３により開閉される加熱室８を有している。本体部内には加熱室８に投入される被加熱物を加熱調理するマグネトロンやヒータ等が設けられている。加熱室８の側方には操作部４が配される。操作部４は調理操作を行う操作パネル５の前面側を美観向上のための装飾パネル６により覆って構成されている。
【０００３】
操作パネル５は表示部５ａや複数の操作スイッチ５ｇを有している。操作パネル５の内部には表示部５ａや操作スイッチ５ｇを制御するＩＣ等が装備されている。装飾パネル６は金属から成り、表示部５ａや操作スイッチ５ｇを露出させる開口部６ａ、６ｄが形成されている。装飾パネル６の下部には端子部６ｃが後方に向けて延設されている。
【０００４】
図７は操作部４の上面断面図を示している。装飾パネル６は側端部に係合爪６ｂが形成され、操作パネル５に形成された係合孔５ｃに係合して取り付けられる。装飾パネル６の端子部６ｃは操作パネル５に形成された挿通孔５ｆに挿通され、ネジ１０によりシャーシ２に取り付けられている。
【０００５】
これにより、金属製の装飾パネル６がアースされ、装飾パネル６に帯電した静電気によるＩＣの故障や破壊を防止することができるようになっている。また、加熱調理器１は安全性の確保のために落雷試験が行われ、落雷試験によるＩＣの故障や破壊も防止することができる。
【特許文献１】特開平８−２０３６６６号公報（第２頁−第３頁、第２図）
【発明の開示】
【発明が解決しようとする課題】
【０００６】
しかしながら、上記従来の加熱調理器１によると、装飾パネル６に端子部６ｃが形成されるため高価な装飾パネル６が大型になり加熱調理器１のコストがかかる問題があった。また、端子部６ｃを挿通孔５ｆに挿通してネジ止めするため組み立ての作業性が悪くなる問題があった。
【０００７】
本発明は、コスト削減を図るとともに組み立ての作業性を向上できる加熱調理器を提供することを目的とする。
【課題を解決するための手段】
【０００８】
上記目的を達成するために本発明は、本体部を形成するシャーシと、前記シャーシの前面に配されるとともに調理操作を行う操作パネルと、前記操作パネルの前面を覆う導電性の装飾パネルとを備えた加熱調理器において、前記操作パネルに貫通孔を形成し、前記貫通孔に挿通して前記シャーシと前記装飾パネルとを導通させるコイルバネを設けたことを特徴としている。
【０００９】
コイルバネの前面側に拡径した拡径部を設け、貫通孔に座グリ部を設けると座グリ部に拡径部が設置される。これにより、装飾パネル及び座グリ部により拡径部を囲繞してコイルバネが保持される。コイルバネの前面側を被嵌する導電性のキャップを設けると、キャップが装飾パネルに接触して導通される。操作パネルは操作スイッチ等が取り付けられる板状部材が前面に配され、板状部材の背面側に突出するボスに貫通孔を形成してコイルバネを挿通してもよい。
【発明の効果】
【００１０】
本発明によると、コイルバネを操作パネルに形成した貫通孔に挿通してシャーシと装飾パネルとを導通させたので、装飾パネルのアースを容易にとることができる。従って、高価な装飾パネルを小型にして加熱調理器を安価にできるとともに、装飾パネルのネジ止め作業を必要とせず組み立ての作業性を向上することができる。
【００１１】
また本発明によると、コイルバネに拡径部を設けて貫通孔に座グリ部を設けたので、コイルバネは脱落が防止されて装飾パネル及び操作パネルと一体に保持される。従って、組み立ての作業性をより向上することができる。
【００１２】
また本発明によると、コイルバネの前面側を被嵌する導電性のキャップを設けたので、コイルバネに接触するキャップが装飾パネルに面接触され、装飾パネルとシャーシとの導通不良を低減して装飾パネルを確実にアースできる。
【００１３】
また本発明によると、操作パネルの前面に配された板状部材の背面側に突出するボスを設け、ボスに形成された筒状の貫通孔内にコイルバネを挿通したので、コイルバネの位置決め精度が向上する。従って、シャーシの所定位置にコイルバネを配置して確実に装飾パネルをアースすることができる。
【発明を実施するための最良の形態】
【００１４】
以下に本発明の実施形態を図面を参照して説明する。図１は第１実施形態の加熱調理器を示す斜視図である。説明の便宜上、前述の図６、図７に示す従来例と同一の部分には同一の符号を付している。加熱調理器１は金属製のシャーシ２によって本体部が形成され、開閉扉３により開閉される加熱室８を有している。本体部内には加熱室８に投入される被加熱物を加熱調理するマグネトロンやヒータ等が設けられている。加熱室８の側方には操作部４が配される。操作部４は調理操作を行う操作パネル５の前面側を美観向上のための装飾パネル６により覆って構成されている。
【００１５】
操作パネル５は表示部５ａや複数の操作スイッチ５ｇを有している。操作パネル５の内部には表示部５ａや操作スイッチ５ｇを制御するＩＣ等が装備されている。また、操作パネル５の下部には導電性のコイルバネ７が挿通される貫通孔５ｂが形成されている。装飾パネル６はステンレスやアルミニウム等の金属から成り、表示部５ａや操作スイッチ５ｇを露出させる開口部６ａ、６ｄが形成されている。
【００１６】
図２は操作部４の上面断面図を示している。装飾パネル６は側端部に係合爪６ｂが形成され、操作パネル５に形成された係合孔５ｃに係合して取り付けられる。貫通孔５ｂに挿通されるコイルバネ７は前面側が装飾パネル６に当接するとともに背面側がシャーシ２に当接して縮設される。
【００１７】
これにより、金属製の装飾パネル６がアースされ、装飾パネル６に帯電した静電気によるＩＣの故障や破壊を防止することができるようになっている。また、加熱調理器１は安全性の確保のために落雷試験が行われ、落雷試験によるＩＣの故障や破壊も防止することができる。
【００１８】
本実施形態によると、装飾パネル６に従来例のような端子部６ｃ（図６参照）を設ける必要がなく、高価な装飾パネル６を小型化して加熱調理器のコスト削減を図ることができる。また、コイルバネ７により簡単に装飾パネル６をアースすることができるので、組み立ての作業性を向上することができる。
【００１９】
次に、図３は第２実施形態の加熱調理器の操作部を示す上面断面図である。説明の便宜上、前述の図１〜図２に示す第１実施形態と同一の部分には同一の符号を付している。本実施形態はコイルバネ７の前面側を拡径した拡径部７ａを設け、貫通孔５ｂに座グリ部５ｄを形成している。その他の部分は第１実施形態と同一である。
【００２０】
貫通孔５ｂに挿通されるコイルバネ７の拡径部７ａは座グリ部５ｄ内に配され、座グリ部５ｄ及び装飾パネル６に囲繞される。これにより、コイルバネ７の脱落を防止して装飾パネル６、操作パネル５、コイルバネ７を一体の操作部組品として取扱うことができる。従って、組み立ての作業性を更に向上することができる。
【００２１】
次に、図４は第３実施形態の加熱調理器の操作部を示す上面断面図である。説明の便宜上、前述の図１〜図２に示す第１実施形態と同一の部分には同一の符号を付している。本実施形態はコイルバネ７の前面側を被嵌する金属製のキャップ９を設けている。その他の部分は第１実施形態と同一である。
【００２２】
キャップ９の内面にはコイルバネ７の前面及び周面が接触し、キャップ９の前面側の平坦面が装飾パネル６に接触する。このため、装飾パネル６とキャップ９との接触面積及びキャップ９とコイルバネ７との接触面積が第１実施形態の装飾パネル９とコイルバネ７との接触面積よりも増加する。従って、装飾パネル６とシャーシ２との導通不良を低減して装飾パネル６を確実にアースすることができる。キャップ９は金属以外の導電性樹脂等の導電体から成ってもよい。
【００２３】
次に、図５は第４実施形態の加熱調理器の操作部を示す上面断面図である。説明の便宜上、前述の図１〜図２に示す第１実施形態と同一の部分は同一の符号を付している。本実施形態は、操作パネル５は薄板状の樹脂成形品から成る板状部材５ｈが前面に配される。貫通孔５ｂは板状部材５ｈの裏面側に突設されたボス５ｅに形成されている。その他の部分は第１実施形態と同一である。
【００２４】
板状部材５ｈには表示部５ａや操作スイッチ５ｇ（いずれも図１参照）が取り付けられている。貫通孔５ｂはボス５ｅにより軸方向に長い筒状に形成され、シャーシ２に接近する位置までコイルバネ７をガイドする。これにより、コイルバネ７の位置決め精度が向上してシャーシ２の所定位置にコイルバネ７を接触させることができる。従って、確実に装飾パネル６をアースすることができる。
【００２５】
尚、第１〜第４実施形態において、装飾パネル６やコイルバネ７は金属以外の導電性樹脂等の導電体から成る場合にも同様の構成により同様の効果を得ることができる。
【図面の簡単な説明】
【００２６】
【図１】は、本発明の第１実施形態の加熱調理器を示す斜視図である。
【図２】は、本発明の第１実施形態の加熱調理器の操作部を示す上面断面図である。
【図３】は、本発明の第２実施形態の加熱調理器の操作部を示す上面断面図である。
【図４】は、本発明の第３実施形態の加熱調理器の操作部を示す上面断面図である。
【図５】は、本発明の第４実施形態の加熱調理器の操作部を示す上面断面図である。
【図６】は、従来の加熱調理器を示す斜視図である。
【図７】は、従来の加熱調理器の操作部を示す上面断面図である。
【符号の説明】
【００２７】
１    加熱調理器
２    シャーシ
３    開閉扉
４    操作部
５    操作パネル
５ｂ  貫通孔
５ｄ  座グリ部
５ｅ  ボス
５ｈ  板状部材
６    装飾パネル
６ｃ  端子部
７    コイルバネ
７ａ  拡径部
９    キャップ
１０    ネジ
【図１】
2005090840.tif 000003
【図２】
2005090840.tif 000004
【図３】
2005090840.tif 000005
【図４】
2005090840.tif 000006
【図５】
2005090840.tif 000007
【図６】
2005090840.tif 000008
【図７】
2005090840.tif 000009